【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  パチンコ球が始動口に入賞することに基づいて特定状態の発生の有無を判定する判定手段と、
図柄を可変状態で表示した後に前記判定手段の判定結果に応じた態様で停止表示する可変表示をパチンコ球が前記始動口に入賞したことを条件に行う表示制御手段と、
可変表示時の演出内容を演出開始前に非確定的に予告する予告手段とを備え、
前記予告手段の予告後に予告と異種の演出が有効限度内で行われたときには特定状態の発生確率が相対的に高く、予告と同種の演出が有効限度内で行われたときには特定状態の発生確率が相対的に低く設定されていることを特徴とする遊技機。
【請求項２】  予告手段は、可変表示時の演出内容を当該可変表示の開始前に予告することを特徴とする請求項１記載の遊技機。
【請求項３】  パチンコ球が可変表示を開始できないタイミングで始動口に入賞することに基づいて当該入賞球に基づく可変表示の開始をＸ回（Ｘは２以上の整数）を上限に保留する保留手段を備え、
予告の有効限度は、保留手段の保留回数に設定されていることを特徴とする請求項１〜２のいずれかに記載の遊技機。
【請求項４】  特定状態として大当りが判定されたことを条件に可変入賞口を遊技者に有利な状態にする大当り遊技を行う大当り遊技手段を備え、
予告手段は、大当り遊技の終了後に行われる可変表示時の演出内容を大当り遊技中に非確定的に予告することを特徴とする請求項１〜３のいずれかに記載の遊技機。
【請求項５】  パチンコ球が始動口に入賞することに基づいて特定状態の発生の有無を判定し、判定結果を格納手段に格納する判定手段と、
図柄を可変状態で表示した後に前記判定手段の判定結果に応じた態様で停止表示する可変表示を前記格納手段に判定結果が格納されていることを条件に行う表示制御手段と、
前記格納手段に複数の判定結果が格納されていることを条件に後の判定結果に係る演出内容の予告を先の判定結果に対して設定する予告設定手段と、
前記予告設定手段が予告を設定し且つ後の判定結果が特定状態であるときには後の判定結果に対して予告と異種の演出を信頼度が相対的に高くなるように設定し、前記予告設定手段が予告を設定し且つ後の判定結果が特定状態でないときには後の判定結果に対して予告と同種の演出を信頼度が相対的に低くなるように設定する演出設定手段と
を備えたことを特徴とする遊技機。
【請求項６】  パチンコ球が始動口に入賞することに基づいて特定状態の発生の有無を判定する判定手段と、
図柄を可変状態で表示した後に前記判定手段の判定結果に応じた態様で停止表示する可変表示をパチンコ球が前記始動口に入賞したことを条件に行う表示制御手段と、
パチンコ球が前記始動口に入賞したことを条件に当該可変表示に対して後の可変表示に係る演出内容の予告を設定する予告設定手段と、
前記予告設定手段が予告を設定したことを条件に予告の有効限度を設定する限度設定手段と、
前記限度設定手段の設定範囲内で特定状態が判定されたときには当該可変表示に対して予告と異種の演出を信頼度が相対的に高くなるように設定し、特定状態が判定されないときには予告と同種の演出を信頼度が相対的に低くなるように設定する演出設定手段と
を備えたことを特徴とする遊技機。
【請求項７】  予告の無効化を報知する報知手段を備えたことを特徴とする請求項１〜６のいずれかに記載の遊技機。
【手続補正２】
【補正対象書類名】明細書
【補正対象項目名】００１１
【補正方法】変更
【補正の内容】
【００１１】
＜その他発明について＞
その他発明は、予告の対象を報知するところに特徴を有する。この予告対象とは予告演出が発生する可能性がある可変表示を称するものであり、例えば可変表示中に予告の残り有効回数または残り有効時間を報知したり、可変表示中に今回の可変表示が予告対象であることを報知すると良い。これら報知動作は予告が行われたことを条件に行われるものであり、予告時に残り有効回数または残り有効時間の初期値を報知しても良い。
その他発明によれば、予告対象が報知されるので、今回の可変表示が予告の対象であるか否かが明確になる。このため、今回の可変表示時に予告演出の発生を待つ楽しみが明確になるので、遊技の趣向性が高まる。
【手続補正３】
【補正対象書類名】明細書
【補正対象項目名】００１２
【補正方法】変更
【補正の内容】
【００１２】
＜請求項７に係る発明について＞
請求項７に係る発明は、予告が無効になったことを報知するところに特徴を有する。この予告の無効化とは予告対象となる保留球がなくなったり、有効限度に達したことを称するものである。
請求項７に係る発明によれば、予告が無効になったことが遊技者に報知されるので、遊技者が予告演出の発生を期待して遊技を際限なく続けることが防止される。
【手続補正４】
【補正対象書類名】明細書
【補正対象項目名】００１３
【補正方法】変更
【補正の内容】
【００１３】
＜その他の解決手段について＞
請求項１〜７に係る各発明は、予告後に予告と異種の演出を行うことに基づいて特定状態の発生確率が相対的に高いことを報知するものであるが、予告後に予告と同種の演出を行うことに基づいて特定状態の発生確率が相対的に高いことを報知しても良い。具体的には下記（１）〜（３）の通りである。
（１）パチンコ球が始動口に入賞することに基づいて特定状態の発生の有無を判定する判定手段と、
図柄を可変状態で表示した後に前記判定手段の判定結果に応じた態様で停止表示する可変表示をパチンコ球が前記始動口に入賞したことを条件に行う表示制御手段と、
可変表示時の演出内容を演出開始前に非確定的に予告する予告手段とを備え、
前記予告手段の予告後に予告と同種の演出が有効限度内で行われたときには特定状態の発生確率が相対的に高く、予告と同種の演出が有効限度内で行われなかったときには特定状態の発生確率が相対的に低く設定されていることを特徴とする遊技機。
（２）パチンコ球が始動口に入賞することに基づいて特定状態の発生の有無を判定し、判定結果を格納手段に格納する判定手段と、
図柄を可変状態で表示した後に前記判定手段の判定結果に応じた態様で停止表示する可変表示を前記格納手段に判定結果が格納されていることを条件に行う表示制御手段と、
前記格納手段に複数の判定結果が格納されていることを条件に後の判定結果に係る演出内容の予告を先の判定結果に対して設定する予告設定手段と、
前記予告設定手段が予告を設定し且つ後の判定結果が特定状態であるときには後の判定結果に対して予告と同種の演出を出現率が相対的に高くなるように設定し、前記予告設定手段が予告を設定し且つ後の判定結果が特定状態でないときには後の判定結果に対して予告と同種の演出を出現率が相対的に低くなるように設定する演出設定手段とを備えたことを特徴とする遊技機。
（３）パチンコ球が始動口に入賞することに基づいて特定状態の発生の有無を判定する判定手段と、
図柄を可変状態で表示した後に前記判定手段の判定結果に応じた態様で停止表示する可変表示をパチンコ球が前記始動口に入賞したことを条件に行う表示制御手段と、
パチンコ球が前記始動口に入賞したことを条件に当該可変表示に対して後の可変表示に係る演出内容の予告を設定する予告設定手段と、
前記予告設定手段が予告を設定したことを条件に予告の有効限度を設定する限度設定手段と、
前記限度設定手段の設定範囲内で特定状態が判定されたときには当該可変表示に対して予告と同種の演出を出現率が相対的に高くなるように設定し、特定状態が判定されないときには予告と同種の演出を出現率が相対的に低くなるように設定する演出設定手段とを備えたことを特徴とする遊技機。